(57)【特許請求の範囲】
【請求項１】
本体の上部を覆うトッププレートと、前記トッププレートの裏面に印刷された白色またはシルバー色の１層目の印刷膜と、前記１層目の印刷膜上に印刷された黒色の２層目の印刷膜と、前記２層目の印刷膜に接着剤で接着され、前記トッププレートを載置するアンダーフレームと、を備え、前記２層目の印刷膜に抜き形状を設け、前記抜き形状の大きさは前記トッププレートを前記本体上に取り付けると外側から見えなくなり、かつ、前記トッププレートを前記本体から取り外すと裏面から視認できる程度に小さくするとともに、前記接着剤の塗布部分近傍に前記抜き形状を配列し、前記接着剤を塗布する部分を示すための目印とした誘導加熱調理器。
【請求項２】
複数の前記抜き形状を、文字や数字や記号となるように配列した請求項１に記載の誘導加熱調理器。
【請求項３】
前記抜き形状を前記トッププレートの識別記号とした１または２に記載の誘導加熱調理器。
【発明の詳細な説明】
【技術分野】
【０００１】
本発明は、一般家庭で使用する誘導加熱調理器に関するものである。
【背景技術】
【０００２】
従来、この種の誘導加熱調理器では、トッププレートとアンダーフレームのどちらか、または両方に接着剤を塗布し、トッププレートとアンダーフレームを接着して一体化しているものがある（例えば、特許文献１参照）。
【０００３】
その構成は、図１１、１２に示すように、本体１２の上部を覆うトッププレート１３と、トッププレート１３の裏面に印刷された白色またはシルバー色の１層目の印刷膜１４と、１層目の印刷膜１４上に印刷された黒色の２層目の印刷膜１５と、トッププレート１３を載置するアンダーフレーム１６を備え、トッププレート１３には、接着剤１７を塗布する部分にプライマー１８を塗布してから、トッププレート１３とアンダーフレーム１６のどちらか、または両方に接着剤１７を塗布し、トッププレート１３とアンダーフレーム１６を接着して一体化する構成としている。
【先行技術文献】
【特許文献】
【０００４】
【特許文献１】特開２００６−１７０５２７号公報
【発明の概要】
【発明が解決しようとする課題】
【０００５】
しかしながら前記従来の構成では、トッププレート１３にプライマー１８や接着剤１７を塗布するときに、塗布する位置が指示されていないため、プライマー１８や接着剤１７の塗布作業が困難であるという課題を有していた。
【０００６】
本発明は、前記従来の課題を解決するもので、プライマーや接着剤の塗布作業を容易にした誘導加熱調理器を提供することを目的とする。
【課題を解決するための手段】
【０００７】
前記従来の課題を解決するために、本発明の誘導加熱調理器は、本体の上部を覆うトッププレートと、前記トッププレートの裏面に印刷された白色またはシルバー色の１層目の印刷膜と、前記１層目の印刷膜上に印刷された黒色の２層目の印刷膜と、前記２層目の印刷膜に接着剤で接着され、前記トッププレートを載置するアンダーフレームと、を備え、前記２層目の印刷膜に抜き形状を設け、前記抜き形状の大きさは前記トッププレートを前記本体上に取り付けると外側から見えなくなり、かつ、前記トッププレートを前記本体から取り外すと裏面から視認できる程度に小さくするとともに、前記接着剤の塗布部分近傍に前記抜き形状を配列し、前記接着剤を塗布する部分を示すための目印としたものである。
【０００８】
これによって、接着剤の塗布部近傍に配列した複数の抜き形状が接着剤を塗布する部分を示すための目印となり、接着剤を必要な場所に正確に塗布することができる。
【発明の効果】
【０００９】
本発明の誘導加熱調理器はプライマーや接着剤を必要な場所に正確に塗布することを容易にすることができる。
【図面の簡単な説明】
【００１０】
【図１】本発明の第１の実施の形態における誘導加熱器の斜視図
【図２】本発明の第１の実施の形態におけるトッププレートの断面図
【図３】本発明の第１の実施の形態におけるトッププレートの平面図
【図４】発明の第１の実施の形態に置けるトッププレートの部分拡大図
【図５】本発明の第２の実施の形態におけるトッププレートの平面図
【図６】本発明の第２の実施の形態におけるトッププレートの平面図
【図７】本発明の第３の実施の形態におけるトッププレートの断面図
【図８】本発明の第３の実施の形態におけるトッププレートの平面図
【図９】本発明の第３の実施の形態におけるトッププレートの平面図
【図１０】本発明の第４の実施の形態におけるトッププレートの平面図
【図１１】従来の誘導加熱調理器の斜視図
【図１２】従来のトッププレートの断面図
【発明を実施するための形態】
【００１１】
第１の発明は、本体の上部を覆うトッププレートと、前記トッププレートの裏面に印刷された白色またはシルバー色の１層目の印刷膜と、前記１層目の印刷膜上に印刷された黒色の２層目の印刷膜と、前記２層目の印刷膜に接着剤で接着され、前記トッププレートを載置するアンダーフレームと、を備え、前記２層目の印刷膜に抜き形状を設け、前記抜き形状の大きさは前記トッププレートを本体上に取り付けると外側から見えなくなり、かつ、前記トッププレートを前記本体から取り外すと裏面から視認できる程度に小さくするとともに、前記接着剤の塗布部分近傍に前記抜き形状を配列し、前記接着剤を塗布する部分を示すための目印としたことにより、製品の外観に影響を与えることなく、トッププレートの裏面には必要な情報を表示することができる。また、接着剤を必要な場所に正確認に塗布することができる。
【００１２】
第２の発明は、特に、第１の発明の複数の前記抜き形状を文字や数字や記号となるように配列することにより、トッププレートの裏面に必要な情報を表示することができる。
【００１４】
第３の発明は、特に、第１または第２の発明の抜き形状をトッププレートの識別記号としたことにより、複数種類のあるトッププレートの識別を効率よくすることができる。
【００１５】
以下、本発明の実施の形態について、図面を参照しながら説明する。なお、この実施の形態によって本発明が限定されるものではない。
【００１６】
（実施の形態１）
図１は、本発明の第１の実施の形態における誘導加熱器の斜視図、図２は、本発明の第１の実施の形態におけるトッププレート１の断面図、図３は、本発明の第１の実施の形態におけるトッププレート１の平面図、図４は、本発明の第１の実施の形態に置けるトッププレート１の部分拡大図を示すものである。
【００１７】
図２において、トッププレート１の裏面に印刷された白色またはシルバー色の１層目の印刷膜２と、１層目の印刷膜２上に印刷された黒色の２層目の印刷膜３とを備え、図３に示すように２層目の印刷膜３に抜き形状４を設け、図１に示すように抜き形状４の大きさはトッププレート１を本体５に取り付けると外側から見えなくなり、かつ、図３に示すようにトッププレート１を本体５から取り外すと裏面から視認できる程度に小さくしている。
【００１８】
以上のように構成されたトッププレート１について、以下その動作、作用を説明する。
【００１９】
まず、トッププレート１が本体から取り外された状態では、２層目の印刷膜３の抜き形状４から、１層目の印刷膜２の白色またはシルバー色が見える。例えば、抜き形状をφ０．６の大きさとした場合、φ０．６の白色またはシルバー色の穴が見える。
【００２０】
次に、トッププレート１が本体５から取り外された状態で、トッププレートを表面から見ると、トッププレートの表面の色は、白色またはシルバー色の１層目の印刷膜２と、黒色の２層目の印刷膜３が重なった色となっているため、２層目の印刷膜３の抜き形状が表面からも見える。しかし、ここで抜き形状４の大きさを小さくしてくと、表面からは確認することができなくなる大きさがある。
【００２１】
以上のように、本実施の形態においては、２層目の印刷膜３に抜き形状４を設け、抜き形状４の大きさはトッププレート１を本体５に取り付けると外側（表面）から見えなくなり、かつ、トッププレートを１本体５から取り外すと裏面から視認できる程度に小さくすることにより、製品の外観に影響を与えることなく、トッププレート１の裏面に必要な情報を表示することができる。
【００２２】
なお、トッププレート１の裏面の印刷膜は、１層目の印刷膜２を淡い色とし、２層目の印刷膜３を黒またはグレー等の暗い色とし、互いにコントラストがある色の組合せであれば何色としても良い。
【００２３】
また、抜き形状４は丸穴形状ではなく、三角や四角や長穴形状等でも良く、トッププレート１を本体５に取り付けると外側（表面）から見えなくなり、かつ、トッププレート１を本体５から取り外すと裏面から視認できる程度に大きさや形状を決定すればよい。
【００２４】
（実施の形態２）
図５、６は、本発明の第２の実施の形態におけるトッププレート１の平面図を示すものである。図５に示すように抜き形状４を、トッププレート１を本体５に取り付けると外側から見えなくなり、かつ、トッププレート１を本体５から取り外すと裏面から視認できる程度に間隔をあけて配列して文字や数字や記号を作成する。
【００２５】
以上のように構成されたトッププレート１について、以下その動作、作用を説明する。
【００２６】
まず、トッププレート１が本体５から取り外された状態では、２層目の印刷膜３の抜き形状４から、１層目の印刷膜２の白色またはシルバー色が複数見えて配列され文字や数字や記号が表示される。
【００２７】
次に、トッププレート１が本体５から取り外された状態で、トッププレート１を表面から見ると、トッププレートの表面の色は、白色またはシルバー色の１層目の印刷膜２と、黒色の２層目の印刷膜３が重なった色となっているため、２層目の印刷膜３の文字や数字や記号が表面からも見える。しかし、抜き形状の配列の間隔を大きくしていくと、表面からは確認することができなくなる間隔がある。
【００２８】
以上のように、本実施の形態においては、２層目の印刷膜３に抜き形状４を設け、抜き形状４を配列する間隔は、トッププレート１を本体５に取り付けると外側（表面）から見えなくなり、かつ、トッププレート１を本体５から取り外すと裏面から視認できる程度に大きくすることにより、製品の外観に影響を与えることなく、トッププレート１の裏面に必要な情報を表示することができる。
【００２９】
なお、裏面から見たときの視認性をよくするために、図６に示すように２列以上に配列して、文字や数字や記号を作成してもよい。
【００３０】
（実施の形態３）
図７は本発明の第３の実施の形態におけるトッププレート１の断面図、図８、９は、本
発明の第３の実施の形態におけるトッププレート１の平面図を示すものである。図７に示すように、アンダーフレーム６は、接着剤７によってトッププレート１の２層目の印刷膜３に接着されている。接着剤７は、図８に示すように、トッププレート１の２層目の印刷膜３の上の所定の位置に塗布される。２層目の印刷膜３には接着剤７を塗布する近傍に抜き形状４を配列する。
【００３１】
以上のように構成されたトッププレート１について、以下その動作、作用を説明する。
【００３２】
トッププレート１の２層目の印刷膜３に複数配列された抜き形状４は、接着剤７を塗布する場所を示している。抜き形状４はアンダーフレーム６を接着する前は、トッププレート１の裏面から複数の配列が確認できるが、アンダーフレーム６を接着した後は、抜き形状はアンダーフレーム６に隠されて見えなくなる。また、抜き形状はトッププレート１を表面から見たときには見えなくなる大きさ、間隔、数としている。
【００３３】
以上のように、本実施の形態においては、２層目の印刷膜３には接着剤７を塗布する近傍に抜き形状４を配列したから、接着剤７を塗布する場所が明確になり、正しい箇所に接着剤７を塗布することが出来、かつ、トッププレート１の表面からは複数の抜き形状４の配列は見えないため、製品の外観に影響を与えることはない。
【００３４】
なお、接着剤７を塗布する位置は、主にトッププレート１の外周付近が多いが、図８のようにトッププレート１の中央部付近に接着剤７を塗布する場合には、塗布する位置を決めるのが難しいため特に大きな効果がある。
【００３５】
また、図９のように、接着剤７を塗布する前にプライマー８を塗布する場合も、プライマー８を塗布する近傍に複数の抜き形状４を配列することにより、プライマー８を塗布する位置を指示することができる。
【００３６】
また、接着剤７を自動機で塗布する場合は、トッププレート１を自動機の所定の位置にセットすれば接着剤７の塗布は自動で行えるが、その際にも、接着剤７を塗布する近傍に複数の抜き形状４を配列することにより、接着剤７が所定の位置に正しく塗布されているかどうかを抜き形状４との重なりにより検査することができる。
【００３７】
（実施の形態４）
図１０は、本発明の第４の実施の形態におけるトッププレート１の平面図を示すものである。図１０に示すように、２層目の印刷膜３の上に複数の抜き形状を文字９や数字１０や記号１１となるように配列し、トッププレート１の識別としている。
【００３８】
以上のように構成されたトッププレート１について、以下その動作、作用を説明する。
【００３９】
トッププレート１の２層目の印刷膜３に設けられた文字９や数字１０や記号１１は、複数種類あるトッププレート１を識別する記号としている。この識別記号をたよりに、製品に個別のトッププレート１を製品の本体５に取り付ける。
【００４０】
以上のように、本実施の形態においては、２層目の印刷膜３の上に複数の抜き形状４を文字９や数字１０や記号１１となるように配列したから、デザインや色や形が似通ったトッププレート１が複数種類あっても、間違えることなく正確に本体５へ取り付けることができる。
【産業上の利用可能性】
【００４１】
以上のように、本発明にかかる誘導加熱調理器は、プライマーや接着剤の塗布を容易に
することができるので、２層以上の印刷を有するガラス製の板に、他の部品を接着剤を用いて取り付けるガラス製品等の用途にも利用できる。
【符号の説明】
【００４２】
１  トッププレート
２  １層目の印刷膜
３  ２層目の印刷膜
４  抜き形状
５  本体
６  アンダーフレーム
７  接着剤
８  プライマー
９  文字
１０  数字
１１  記号
【図１】
0005845386.tif 000002
【図２】
0005845386.tif 000003
【図３】
0005845386.tif 000004
【図４】
0005845386.tif 000005
【図５】
0005845386.tif 000006
【図６】
0005845386.tif 000007
【図７】
0005845386.tif 000008
【図８】
0005845386.tif 000009
【図９】
0005845386.tif 000010
【図１０】
0005845386.tif 000011
【図１１】
0005845386.tif 000012
【図１２】
0005845386.tif 000013